(57)【特許請求の範囲】
【請求項１】
カード挿通溝内に複数の磁気読取ヘッドを向かい合わせに備えたカードリーダの磁気読取ヘッド保護機構において、
前記カード挿通溝の底部に形成された切り欠き部と、
該切り欠き部を介して前記カード挿通溝内を進退可能に配置された仕切り板と、
該仕切り板の底部を前記切り欠き部を介して前記カード挿通溝内に進出するように付勢する付勢部材と、
を有し、
前記仕切り板は、
前記カードリーダの使用時において、前記カードが前記カード挿通溝に挿通されていないとき、前記付勢部材の付勢力により前記切り欠き部から前記カード挿通溝内に突出して複数の前記磁気読取ヘッド間に挿通され、外部からの衝撃時において複数の前記磁気読取ヘッドが相互に衝突することを防止し、
前記カードが前記カード挿通溝に挿通されたとき、挿通される前記カードの縁に摺接しながら前記付勢部材の付勢力に抗して前記切り欠き部の下方に向けて押し込まれ、前記カード挿通溝を挿通される前記カードの挿通を許容する、
ことを特徴とするカードリーダの磁気読取ヘッド保護機構。
【請求項２】
前記付勢部材は、前記仕切り板の底部と前記カードリーダの本体フレームとの間に介装された押し付勢力を有する弾性部材である、
ことを特徴とする請求項１記載のカードリーダの磁気読取ヘッド保護機構。
【請求項３】
前記付勢部材は、中央部を前記仕切り板の底部の中央部に固定され、両端部に形成された撓み時の水平方向の伸縮に対応し、前記カードリーダの本体フレームに支持される弾性部材である、
ことを特徴とする請求項１記載のカードリーダの磁気読取ヘッド保護機構。
【請求項４】
前記付勢部材は、
一端を前記仕切り板の下部の一方の端部に固定され、他端を前記カードリーダの本体フレームに撓み時の水平方向の伸縮に対応し、支持される第１の弾性部材と、
一端を前記仕切り板の下部の他方の端部に固定され、他端を前記カードリーダの本体フレームに撓み時の水平方向の伸縮に対応し、支持される第２の弾性部材と、
から成ることを特徴とする請求項１記載のカードリーダの磁気読取ヘッド保護機構。
【請求項５】
前記付勢部材は、
一端を前記仕切り板の下部の一方の端部に係止し、他端を前記カードリーダの本体フレームに係止する引き付勢力を有する第１の弾性部材と、
一端を前記仕切り板の下部の他方の端部に係止し、他端を前記カードリーダの本体フレームに係止する引き付勢力を有する第２の弾性部材と、
から成ることを特徴とする請求項１記載のカードリーダの磁気読取ヘッド保護機構。
【請求項６】
前記カードリーダは、
カードを挿通するカード挿通溝と、該カードからの情報を読み取る磁気読取ヘッドとを有し、
前記カード挿通溝内に該カード挿通溝を挟んで向かい合わせに且つ該カード挿通溝の長手方向に位置をずらして配置された複数の磁気読取ヘッドを備えた、
ことを特徴とする請求項１記載のカードリーダの磁気読取ヘッド保護機構。
【請求項７】
前記カードリーダの不使用時において外部からの汚染防止のために前記カード挿通溝に被覆される保護蓋を備え、該保護蓋は、該保護蓋が前記カード挿通溝に被覆されたことに伴い前記カード挿通溝内の前記複数の磁気読取ヘッド間に挿通されて外部からの衝撃時において前記複数の磁気読取ヘッドが相互に衝突することを防止するためのヘッド仕切り板を有する、
ことを特徴とする請求項１記載のカードリーダの磁気読取ヘッド保護機構。
【発明の詳細な説明】
【技術分野】
【０００１】
本発明は、カードリーダ及びその磁気読取ヘッド保護機構に係わり、更に詳しくはカード挿通溝内に２個の磁気読取ヘッドを向かい合わせに備えた携帯型手動式のカードリーダとその磁気読取ヘッド保護機構に関する。
【背景技術】
【０００２】
従来、カードリーダには、大別して、カードと非接触でカードと情報の交換をするもの、カードと接触式でカードと情報の交換をするものとがある。カードと非接触で情報交換を行うものではＩＣチップを埋め込まれたカードと至近距離で電波を相互に発信して情報交換を行うものが一般的である。
【０００３】
一方、カードと接触式で情報交換をするものでは、帯状の磁気部を一方の面に形成されているカードの磁気部に書き込まれている情報を磁気ヘッドで読み取って、又は磁気ヘッドからの情報を磁気部に書き込んで、カードと情報の交換をする。
【０００４】
銀行等に設置されているＡＴＭ(automated teller [telling] machine)等の大型機では、カードの磁気部と読み書きの両方を行うが、携帯型の小型電子機器では、読み取りのみに専用されるものが多い。読み取り専用のカードリーダとしては、例えば、特許文献１、特許文献２、又は特許文献３に記載されたものが知られている。
【先行技術文献】
【特許文献】
【０００５】
【特許文献１】特開２００８−１１７２４９号公報
【特許文献２】特開２００３−２４８８００号公報
【特許文献３】特開２０００−２５１００９号公報
【発明の概要】
【発明が解決しようとする課題】
【０００６】
上記の特許文献１にはカード読取装置及びバーコード読取方法に関する技術について記載され、特許文献２にはＩＣカードを利用した端末制御装置および端末制御方式に関する技術について記載され、特許文献３にはカード読取り装置に関する技術について記載されている。
【０００７】
ところで、例えば銀行や証券会社あるいは種々の電子機器のサービスセンターの接客窓口では、データ入力用の電子端末機器を小型な携帯型にしたほうが便利であるという要望がある。
【０００８】
接客窓口で使用されるデータ入力用の電子端末機器は、顧客から渡されるＩＤカードから顧客情報を読み取るためのカードデータ読取専用のカードリーダである。このような携帯型のデータ入力用に用いる小型電子端末機器のカードリーダには、上記の特許文献１、２又は３に記載されている技術構成を利用することができる。
【０００９】
ところで、近年の磁気カードには、カードの両面に帯状の磁気部を備えたものが流通している。一方で、カードリーダに備えられる磁気部読取ヘッドは通常は１個のみである。１個の磁気部読取ヘッドで、両面に帯状の磁気部を備えたカードの情報を読み取らせるためには、カードを反転させて、２回の読み取りを行わせなければならない。
【００１０】
通常、接客窓口で使用されるデータ入力用の電子端末機器は手動式であるから、２回の読み取りは手数が掛かって面倒であるという問題がある。この問題を解決するには、カード両面の帯状の磁気部を同時に読み取る必要がある。
【００１１】
そして、カード両面の磁気部を同時に読み取るためには、カードが挿通されるカード挿通溝を挟んでカード挿通溝の両壁に、２個の磁気読取ヘッドを向かい合わせて備える必要がある。
【００１２】
ところで、磁気読取ヘッドがカード挿通溝に挿通されるカードの帯状の磁気部の情報を読み取るためには、磁気読取ヘッドが磁気部に適正な圧力で摺接する必要がある。このため、一般的には、磁気読取ヘッドはカード挿通溝の側壁の外側から内側に向けて付勢部材で付勢されるように構成されている。
【００１３】
ところが、カードが挿通されるカード挿通溝の両壁の間隔は、カードの厚さと殆ど同程度の間隔であり極めて狭い。その間隔の狭い両壁からそれぞれ磁気部読取ヘッドが向かい合わせで配置されたのでは、カードリーダ本体に僅かの衝撃でも加わるとカード挿通溝内で２個の磁気部読取ヘッドが衝突して破損するという解決すべき課題がある。
【００１４】
上記の特許文献１、２又は３に記載されている技術構成には、両面に帯状の磁気部を備えたカードに対する対処方法や、カード挿通溝の両壁に２個の磁気部読取ヘッドを向かい合わせて備えた場合に発生する不具合に対する対処方法については何らの記載も無い。
【課題を解決するための手段】
【００１５】
上記の課題を解決するために、本発明は、カード挿通溝内に２個の磁気読取ヘッドを向かい合わせに備えた携帯型手動式のカードリーダとその磁気読取ヘッド保護機構を提供することを目的とする。
【００１６】
先ず、第１の発明のカードリーダの磁気読取ヘッド保護機構は、カード挿通溝内に複数の磁気読取ヘッドを向かい合わせに備えたカードリーダの磁気読取ヘッド保護機構において、上記カード挿通溝の底部に形成された切り欠き部と、該切り欠き部を介して上記カード挿通溝内を進退可能に配置された仕切り板と、該仕切り板の底部を上記切り欠き部を介して上記カード挿通溝内に進出するように付勢する付勢部材と、を有することを特徴とする。
【００１７】
上記仕切り板は、例えば、上記カードリーダの使用時において、上記カードが上記カード挿通溝に挿通されていないとき、上記付勢部材の付勢力により上記切り欠き部から上記カード挿通溝内に突出して複数の上記磁気読取ヘッド間に挿通され、外部からの衝撃時において複数の上記磁気読取ヘッドが相互に衝突することを防止し、上記カードが上記カード挿通溝に挿通されたとき、挿通される上記カードの縁に摺接しながら上記付勢部材の付勢力に抗して上記切り欠き部の下方に向けて押し込まれ、上記カード挿通溝を挿通される上記カードの挿通を許容する、ように構成される。
【００１８】
また、上記付勢部材は、例えば、上記仕切り板の底部と上記カードリーダの本体フレームとの間に介装された押し付勢力を有する弾性部材であるように構成してもよく、また、例えば、中央部を上記仕切り板の底部の中央部に固定され、両端部に形成された撓み時の水平方向の伸縮に対応し、上記カードリーダの本体フレームに支持される弾性部材である、ように構成してもよい。
【００１９】
また、上記付勢部材は、例えば、一端を上記仕切り板の下部の一方の端部に固定され、他端を上記カードリーダの本体フレームに撓み時の水平方向の伸縮に対応し、支持される第１の弾性部材と、一端を上記仕切り板の下部の他方の端部に固定され、他端を上記カードリーダの本体フレームに撓み時の水平方向の伸縮に対応し、支持される第２の弾性部材と、から成るように構成してもよい。
【００２０】
更に、上記付勢部材は、例えば、一端を上記仕切り板の下部の一方の端部に係止し、他端を上記カードリーダの本体フレームに係止する引き付勢力を有する第１の弾性部材と、一端を上記仕切り板の下部の他方の端部に係止し、他端を上記カードリーダの本体フレームに係止する引き付勢力を有する第２の弾性部材と、から成るように構成することもできる。
【００２１】
次に、第２の発明のカードリーダは、カードからの情報を読み取るカードリーダにおいて、カードを挿通するカード挿通溝と、該カードからの情報を読み取る磁気読取ヘッドとを有し、該カード挿通溝内に該カード挿通溝を挟んで向かい合わせに且つ該カード挿通溝の長手方向に位置をずらして配置された複数の磁気読取ヘッドを備えたことを特徴とする。
【００２２】
更に、第３の発明のカードリーダの磁気読取ヘッド保護部材は、カード挿通溝内に複数の磁気読取ヘッドを向かい合わせに備えたカードリーダの磁気読取ヘッド保護部材において、上記カードリーダの不使用時において外部からの汚染防止のために上記カード挿通溝に被覆される保護蓋に、該保護蓋が上記カード挿通溝に被覆されたことに伴い上記カード挿通溝内の上記複数の磁気読取ヘッド間に挿通されて外部からの衝撃時において上記複数の磁気読取ヘッドが相互に衝突することを防止するための仕切り板を備えた、ことを特徴とする。
【発明の効果】
【００２３】
本発明は、カードリーダのカード挿通溝内に２個の磁気読取ヘッドを向かい合わせに備えるので、両面に帯状の磁気部を備えたカードに対しても、両面の磁気部の情報を同時に読み取ることが出来るという効果を奏する。
【００２４】
また、カード挿通溝内に２個の磁気読取ヘッドを向かい合わせに備えた携帯型手動式のカードリーダにおいて、不使用時又は使用時においても、カードリーダ本体に衝撃が加わったとき磁気読取ヘッド同士が衝突して破損することを防止できるという効果を奏する。
【図面の簡単な説明】
【００２５】
【図１】(a)は実施例１又は２に係る携帯型端末装置の正面図、(b)はその側面図である。
【図２】(a)は実施例１又は２に係る携帯型端末装置のカードリーダ部の内部構造を示す正面図、(b)はその右側面図、(c)はその下側面図である。
【図３】(a),(b),(c)は実施例２に係る磁気読取ヘッド保護機構における保護蓋の構成を示す図である。
【図４】(a),(b)は実施例２に係る保護蓋を携帯型端末装置に装着した時の態様を示す図である。
【図５】(a),(b),(c)は実施例３に係る磁気読取ヘッド保護機構の構成を示す図である。
【図６】(a),(b),(c)は実施例３に係る磁気読取ヘッド保護機構の動作状態を示す図である。
【図７】(a)〜(d)は実施例４に係る磁気読取ヘッド保護機構の構成と動作を示す図である。
【図８】(a)〜(d)は実施例５に係る磁気読取ヘッド保護機構の構成と動作を示す図である。
【図９】(a)〜(d)は実施例６に係る磁気読取ヘッド保護機構の構成と動作を示す図である。
【発明を実施するための形態】
【００２６】
以下、本発明の実施の形態について、図面を参照しながら詳細に説明する。
【実施例１】
【００２７】
図１(a)は実施例１に係る携帯型端末装置の正面図であり、同図(b) はその側面図である。図１(a),(b)に示すように、携帯型端末装置１は本体筐体２の上部にカードリーダ部３を備えている。
【００２８】
その下方には、例えば液晶表示装置からなる表示部４を備え、更にその下方には、上下左右の４個のカーソルキーと、それら４個のカーソルキーの中央に配置された決定キーかなるカーソル部５と、テンキーとファンクションキーからなるデータ入力部６とからなるらキー入力操作部７を備えている。
【００２９】
そして、本体筐体２の上部にあるカードリーダ部３は、カード挿通溝８を備えている。このカード挿通溝８には後述するカードが矢印ａで示すように挿通される。このカード挿通溝８には、２個の磁気読取ヘッド９（９ａ、９ｂ）が、カード挿通溝８の両壁に、対向して配置されている。
【００３０】
より具体的には、２個の磁気読取ヘッド９の取付位置は、図１(b)に示すようにカード挿通溝８の深さＤ方向に対して、同じ深さ位置に配置されている。そして、２個の磁気読取ヘッド９の左右の取付位置は、図１(a)に示すように、カード挿通溝８の幅（長手）Ｗ方向に対して、ほぼ中央で向かい合わせではあるが、磁気読取ヘッド９ａは中央よりやや左側に、また、磁気読取ヘッド９ｂは中央より右側にずれている。
【００３１】
図２(a)はカードリーダ部３の内部構造を示す正面図であり、同図(b)はその右側面図、同図(c)はその下側面図である。図２(a),(b),(c)に示すように、２つの磁気読取ヘッド９はカード挿通溝８の側壁８−１、８−２に各１つ設けられていて、片側壁に１つの外側から内側に向けて付勢部材で付勢されるように構成されている。より具体的には、２個の磁気読取ヘッド９は、カード挿通溝８の外側にある中央部９−１の周囲を板バネ１２に保持されている。
【００３２】
磁気読取ヘッド９の背面には４個の接続部１３が突起状に設けられている。この４個の接続部１３は、それぞれ不図示のフレキシブル基板の信号線回路に接続されている。
上記の板バネ１２は、付勢部材であり、弾性部材である。この板バネ１２は、中央部で磁気読取ヘッド９の中央部９−１を保持すると共に、端部１２−１は、カード挿通溝８の外壁に固設されている突起部１４にネジ１５を介して保持されている。
【００３３】
板バネ１２の端部１２−１と中央部の磁気読取ヘッド９保持部との間に、外側規制部材１６と内側規制部材１７が配置されている。外側規制部材１６は、カード挿通溝８にカードが挿入した時、磁気読取ヘッド９は付図示のカードにより押され、磁気読取ヘッド９の先端部９−２に力が加わり、カード挿通溝８から外部へ向かって移動する。
【００３４】
この時、磁気読取ヘッド９を固定している弾性部材の板バネ１２は、磁気読取ヘッド９固定部（板バネ１２の中央部）は、カードからの力を受けて板バネ１２の中央部は、外側へ向かって変形する。
【００３５】
しかし、磁気読取ヘッド９は、不図示のカードの帯状帯状の磁気部から情報を読み取る必要があり、一定の圧力が掛かった状態を維持させる必要があり、この状態を保つために板バネの弾力性で維持し、また、他の力が掛かった場合でも、これ以上板バネを外部に変形させる力を阻止するために外部規制部材が設けられている。
【００３６】
内側規制部材１７は、カード挿通溝８の磁気読取ヘッド９を通過した時、磁気読取ヘッド９は不図示のカードからの圧力がなくなり、押されていた磁気読取ヘッド９を取り付けている板バネ１２は、元の状態（平らな状態）に戻ろうとカード挿通溝８の内部へ向かって変形する。
【００３７】
この時、元の状態以上に内部側に向かって変形しようとするので、一定の変形以上に、板バネの変形を阻止するために内部規制部材が設けられている。これにより、板バネ１２の磁気読取ヘッド支持部のカード挿通溝８方向への移動範囲は。外側規制部材１６の規制位置と内側規制部材１７の規制位置とで決まる規制範囲１８の範囲内に移動を抑えられている。
【００３８】
また、図２(a)には、前述したように、ほぼ向かい合わせではあるが、やや左右にずれている２個の磁気読取ヘッド９の位置関係を示している。このように、２個の磁気読取ヘッド９を、その向かい合わせ位置をやや左右にずらして配置するのは、２個の磁気読取ヘッド９の先端部９−２間の間隙ｂが、真正に向かい合うときの間隙よりも広くなるように考慮されているからである。
【００３９】
カード挿通溝８の中心のカード走行路１９に沿ってカード挿通溝８に挿通される不図示のカードの帯状の磁気部に圧接するために、２個の磁気読取ヘッド９を同じ位置で向かい合わせにしてカード挿通溝８に突出させると、磁気読取ヘッド９の先端部９−２が近接し過ぎてしまう。
【００４０】
磁気読取ヘッド９の先端部９−２が近接し過ぎると、挿入されたカードが抜かれたとき、カードとの圧接で外側にやや後退していた磁気読取ヘッド９が元の位置に戻ったとき、戻り動作の慣性で戻り過ぎ、磁気読取ヘッド９の先端部９−２同士が衝突し合って損傷するという不具合が起きる。
【００４１】
この不具合を避けるために、２個の磁気読取ヘッド９は向かい合わせ位置をやや左右にずらして配置されている。本実施例では、向かい合う２つの磁気読取ヘッド９をカード挿通溝８の長手（幅Ｗ）方向に対して磁気読取ヘッド９の約半分ほどずらして配置されている。
【００４２】
しかし、これに限らず、２つの磁気読取ヘッド９が長手（幅Ｗ）方向に対して干渉しないような位置にずらすことにより、磁気読取ヘッド９ａと磁気読取ヘッド９ｂが衝突し合って損傷することを避けることが可能である。また、溝の深さＤ方向に対しても、干渉しないような位置にずらすことも可能である。
【実施例２】
【００４３】
図３(a),(b),(c)は実施例２に係る磁気読取ヘッド保護機構を示す図である。本例の磁気読取ヘッド保護機構は、カードリーダとしての携帯型端末装置１の不使用時において外部からの汚染防止のためにカード挿通溝８に被覆される保護蓋２０によって構成される。
【００４４】
図３(a)は保護蓋２０の正面図を示し、図３(b)はその右側面図、図３(c)はその下側面図を示している。この保護蓋２０は、例えば樹脂等で成形されたものである。
図３(a),(b),(c)に示すように、保護蓋２０は、蓋本体２１と、この蓋本体２１の両端からそれぞれ垂直に下方に突設された溝端挿入部２２と、蓋本体２１の中央から垂直に下方に突設されたヘッド仕切り板２３を備えている。
【００４５】
図４(a),(b)は、上記保護蓋２０を携帯型端末装置１に装着した時の態様を示す図である。尚、図４(a),(b)に示す携帯型端末装置１は、図１示したものと同一の装置でる。図４(a),(b)に示すように、携帯型端末装置１の不使用時には、カード挿通溝８の内部が外部から異物（埃やゴミ）で汚染されないように、カード挿通溝８の上部を保護蓋２０の蓋本体２１で被覆する。
【００４６】
このとき溝側挿入部２２がカード挿通溝８の両端部に挿入されて、カード挿通溝８の端部側面からの異物（埃やゴミ）の進入を防止するとともに、保護蓋２０をカード挿通溝８に固定する。このとき、仕切り板２３も２個の磁気読取ヘッド９ａ、９ｂの間に挿通される。
【００４７】
これにより、カード挿通溝８内に２個の磁気読取ヘッド９ａ、９ｂを向かい合わせに備えた手動式の携帯型端末装置１（カードリーダ）において、外部からの衝撃時に２個の磁気読取ヘッド９ａ、９ｂが相互に衝突することを防止することができる。
【実施例３】
【００４８】
図５(a),(b),(c)は、実施例３に係る磁気読取ヘッド保護機構の構成を示す図である。本例の磁気読取ヘッド保護機構は、カードリーダとしての携帯型端末装置１の使用時において携帯型端末装置１本体に衝撃が加わった時における２個の磁気読取ヘッド９の衝突を防止する。
【００４９】
尚、図５(a)に示す正面図、図５(b)の右側面図、図５(c)の下側面図は、磁気読取ヘッド保護機構部２５の構成を除いて、図２(a),(b),(c)に示した構成と同一であるので、説明に必要な部分にのみ図２(a),(b),(c)と同一の番号を付与し、磁気読取ヘッド保護機構部２５としての新たな構成には新たな番号を付与して示している。また、図５(d)は図５(a)のａ−ａ´断面矢視図である。
【００５０】
図５(b)〜(d)に示すように、磁気読取ヘッド保護機構部２５は、カード挿通溝８の下方に連設された本体フレーム２６の内部に形成されている。図５(a)〜(d)に示すように、本例の磁気読取ヘッド保護機構部２５は、カード挿通溝８の底部に形成された切り欠き部２７と、この切り欠き部２７を介してカード挿通溝８内を進退可能に配置された仕切り板２８とを備えている。
【００５１】
仕切り板２８は、カード挿通溝８の底部中央に突起部２９を備え、この突起部２９に螺旋バネ３１の上端部が係止している。螺旋バネ３１の下端部は、磁気読取ヘッド保護機構部２５の螺旋バネ保持部３２の底部に設けられている突起部３３に係止している。
【００５２】
螺旋バネ３１は、仕切り板２８を、切り欠き部２７を介してカード挿通溝８内に進出する方向に付勢している。これにより、カード挿通溝８にカードが挿通されていなときは、仕切り板２８は、図５(d)に示すように２個に磁気読取ヘッド９の先端部９−２、より正確には先端部９−２の読取部９−３との間に挿通される。
【００５３】
このように、本例の磁気読取ヘッド保護機構部２５は、カード挿通溝８内に２個の磁気読取ヘッド９を向かい合わせに備えた手動式の携帯型端末装置１において、携帯型端末装置１の使用時にカードがカード挿通溝８に挿通されていないとき、携帯型端末装置１本体に衝撃が加わった時の２個の磁気読取ヘッド９の衝突を防止する。
【００５４】
図６(a),(b),(c)は、本例の磁気読取ヘッド保護機構２５の動作状態を示す図である。尚、図６(a),(b),(c)は、図５(d)に示した図５(a)のａ−ａ´矢視断面図において、カード挿通溝８にカードが挿通され、そのカードがカード走行路１９に沿って挿通されるときの状態を示している。
【００５５】
図６(a)に示すように、携帯型端末装置１の使用時において、両面に帯状の磁気部３４を有するカード３５が、矢印ｃで示すように、カード挿通溝８に挿通され始める。
このように、カード３５がカード挿通溝８に完全には挿通されていないときは、図５(d)に示した場合と同様に、仕切り板２８は付勢部材であり、弾性部材としての螺旋バネ３１の付勢力により、切り欠き部２７からカード挿通溝８内にまだ突出している。
【００５６】
突出している仕切り板２８は、２個の磁気読取ヘッド９間に挿通されて、外部からの衝撃時において２個の磁気読取ヘッド９が相互に衝突することを防止している。
カード３５がカード挿通溝８に挿通され始めてから、図６(b)に矢印ｄで示すように、カード３５の挿通方向前方の下端部３５ａが仕切り板２８の円弧状の縁部２８ａに当接する。
【００５７】
そのまま更にカード３５が、図６(c)に示すように、カード挿通溝８内をカード走行路１９に沿って挿通されることにより、仕切り板２８は、挿通されるカード３５の下部の縁に摺接しながら螺旋バネ３１の付勢力に抗して切り欠き部２７の下方に向けて押し込まれ、カード挿通溝８を挿通されるカード３５の挿通を許容する。
【００５８】
これにより、カード３５の両面に形成されている帯状の磁気部３４の情報が、カード挿通溝８の両側の２個の磁気読取ヘッド９の読取部９−３によって同時に読み取られる。
【実施例４】
【００５９】
図７(a)〜(d)は、実施例４に係る磁気読取ヘッド保護機構の構成と動作を示す図である。本例の磁気読取ヘッド保護機構も、携帯型端末装置１の使用時において携帯型端末装置１本体に衝撃が加わった時における２個の磁気読取ヘッド９の衝突を防止する。
【００６０】
尚、ここでは、図５(a),(b)と同様の正面図及び右側面図は図示を省略し、図７(a)に図５(c)と同様の下側面図を示し、図７(b)は図５(d)に示した図と同様の正面図の矢視断面図を示している。また、図７(c),(d)は本例の仕切り板２８における図６(b),(c)に示した動作と同様の動作状態を示している。
【００６１】
また、本例においては、磁気読取ヘッド保護機構の構成を除く他の構成部分は、図５(c),(d)に示した構成と同一であるので、説明に必要な部分にのみ図５(c),(d)と同一の番号を付与して示し、本例の磁気読取ヘッド保護機構としての新たな構成には新たな番号を付与して示している。
【００６２】
図７(a),(b)に示すように、本例の磁気読取ヘッド保護機構は、カード挿通溝８の底部のカード走行路１９の中央に形成された切り欠き部２７と、この切り欠き部２７を介してカード挿通溝８内を進退可能に配置された仕切り板２８とを備えている。
【００６３】
仕切り板２８の底部中央部には突起部３６が設けられている。この突起部３６に、付勢部材であり、弾性部材としての１枚の板バネ３７の中央部がネジ３８によって固定されている。板バネ３７の両端部３７−１には、板バネ３７が撓んだときの水平方向の伸縮に対応する逃げ部となる長孔３９が形成されている。
【００６４】
一方、携帯型端末装置１の本体フレームには、カード挿通溝８の両端部の下方に、それぞれ支持柱４１が固設されている。この支持柱４１の先端に、板バネ３７の両端部３７−１が、ネジ４２によって、逃げ部の長孔３９を介して係合して、支持柱４１により摺動可能に支持されている。
【００６５】
この状態で、仕切り板２８は、板バネ３７の伸長力により底部を保持されて、先端部がカード挿通溝８への挿入状態となり、更に向かい合う２個の磁気読取ヘッド９の間への挿入状態となって、携帯型端末装置１本体に衝撃が加わった時における２個の磁気読取ヘッド９の衝突を防止している。
【００６６】
本例における上記構成の磁気読取ヘッド保護機構において、カード３５がカード挿通溝８に挿通されると、図６(b)に示した動作と同様に、カード３５の挿通方向前方の下端部３５ａが、図７(c)に示す仕切り板２８の円弧状の縁部２８ａに当接して、仕切り板２８が切り欠き部２７内を降下する。
【００６７】
そのまま更にカード３５が、図６(c)に示した動作と同様に、カード挿通溝８内をカード走行路１９に沿って挿通されると、仕切り板２８は、挿通されるカード３５の挿通方向前方の下端部３５ａに摺接しながら、図７(d)に示すように、板バネ３７の付勢力に抗して切り欠き部２７の下方に向けて押し込まれ、カード挿通溝８を挿通されるカード３５の挿通を許容する。
【００６８】
このとき、板バネ３７は、仕切り板２８により下方に押し込まれて撓み、撓んだ分、水平方向の長さが縮む。この縮んだ長さ分は、逃げ部の長孔３９によって吸収される。
本例のように構成とすると、仕切り板２８がカード３５によって最も下方に押し込まれたときにカード挿通溝８の下方に形成される磁気読取ヘッド保護機構が占める空間の上下の間隔は、支持柱４１の長さに、仕切り板２８が押し込まれた高さｆを加算した距離であり、実施例３の場合よりも、カード挿通溝８の下方に形成される磁気読取ヘッド保護機構が占める空間の上下の間隔を小さくすることができる。
【実施例５】
【００６９】
図８(a)〜(d)は、実施例５に係る磁気読取ヘッド保護機構の構成と動作を示す図である。本例の磁気読取ヘッド保護機構も、携帯型端末装置１の使用時において携帯型端末装置１本体に衝撃が加わった時における２個の磁気読取ヘッド９の衝突を防止する。
【００７０】
尚、ここでも、図５(a),(b)と同様の正面図及び右側面図は図示を省略し、図８(a)に図５(c)と同様の下側面図を示し、図８(b)は図５(d)に示した図と同様の正面図の矢視断面図を示している。また、図８(c),(d)は本例の仕切り板２８における図６(b),(c)に示した動作と同様の動作状態を示している。
【００７１】
また、本例においては、磁気読取ヘッド保護機構の構成を除く他の構成部分は、図５(c),(d)に示した構成と同一であるので、説明に必要な部分にのみ図５(c),(d)と同一の番号を付与して示し、本例の磁気読取ヘッド保護機構としての新たな構成には新たな番号を付与して示している。
【００７２】
図８(a),(b)に示すように、本例の磁気読取ヘッド保護機構は、カード挿通溝８の底部のカード走行路１９の中央に形成された切り欠き部２７と、この切り欠き部２７を介してカード挿通溝８内を進退可能に配置された仕切り板２８とを備えている。
【００７３】
仕切り板２８の底部両端にはそれぞれ仕切り板２８を固定するための固定部４３が設けられている。この固定部４３に、付勢部材であり、弾性部材であり、中間に段差傾斜部４４−１を有する２枚の板バネ４４（４４ａ、４４ｂ）の一方の端部４４−２がそれぞれネジ４５によって固定されている。
【００７４】
これら２枚の板バネ４４の他方の端部４４−３には、板バネ４４が撓んだときの水平方向の伸縮に対応する逃げ部となる長孔４６がそれぞれ形成されている。
一方、携帯型端末装置１の本体フレームには、カード挿通溝８の両端部の下方に、それぞれ支持柱４７が固設されている。これらの支持柱４７の先端に、２枚の板バネ４４ａ及び４４ｂの他方の端部４４−３が、ネジ４５によって、逃げ部の長孔４６を介して係合して、支持柱４７により摺動可能に支持されている。
【００７５】
この状態で、仕切り板２８は、水平状態で本体フレームに支持されている２枚の板バネ４４により底部両端を保持されて、先端部がカード挿通溝８への挿入状態となり、更に向かい合う２個の磁気読取ヘッド９の間への挿入状態となって、携帯型端末装置１本体に衝撃が加わった時における２個の磁気読取ヘッド９の衝突を防止している。
【００７６】
本例における上記構成の磁気読取ヘッド保護機構において、カード３５がカード挿通溝８に挿通されると、図６(b)に示した動作と同様に、カード３５の挿通方向前方の下端部３５ａが、図８(c)に示す仕切り板２８の円弧状の縁部２８ａに当接して、仕切り板２８が切り欠き部２７内を降下する。
【００７７】
そのまま更にカード３５が、図６(c)に示した動作と同様に、カード挿通溝８内をカード走行路１９に沿って挿通されると、仕切り板２８は、挿通されるカード３５の挿通方向前方の下端部３５ａに摺接しながら、図８(d)に示すように、板バネ４４ａ及び４４ｂの付勢力に抗して切り欠き部２７の下方に向けて押し込まれ、カード挿通溝８を挿通されるカード３５の挿通を許容する。
【００７８】
このとき、板バネ４４ａ及び４４ｂは、仕切り板２８により下方に押し込まれて撓み、撓んだ分、水平方向の長さが縮む。この縮んだ長さ分は、逃げ部の長孔４６によって吸収される。
【００７９】
本例のように構成とすると、仕切り板２８がカード３５によって最も下方に押し込まれたときにカード挿通溝８の下方に形成される磁気読取ヘッド保護機構が占める空間の上下の間隔は、カード挿通溝８の下部面８−３から仕切り板２８の底部両端と２枚の板バネ４４との固定部までの距離に支持柱４１の長さに、仕切り板２８が押し込まれた高さｆを加算した距離であり、実施例４の場合と同様にすることができる。
【実施例６】
【００８０】
図９(a)〜(d)は、実施例６に係る磁気読取ヘッド保護機構の構成と動作を示す図である。本例の磁気読取ヘッド保護機構も、携帯型端末装置１の使用時において携帯型端末装置１本体に衝撃が加わった時における２個の磁気読取ヘッド９の衝突を防止する。
【００８１】
尚、ここでも、図５(a),(b)と同様の正面図及び右側面図は図示を省略し、図９(a)に図５(c)と同様の下側面図を示し、図９(b)は図５(d)に示した図と同様の正面図の矢視断面図を示している。また、図９(c),(d)は本例の仕切り板２８における図６(b),(c)に示した動作と同様の動作状態を示している。
【００８２】
また、本例においては、磁気読取ヘッド保護機構の構成を除く他の構成部分は、図５(c),(d)に示した構成と同一であるので、説明に必要な部分にのみ図５(c),(d)と同一の番号を付与して示し、本例の磁気読取ヘッド保護機構としての新たな構成には新たな番号を付与して示している。
【００８３】
図９(a),(b)に示すように、本例の磁気読取ヘッド保護機構は、カード挿通溝８の底部のカード走行路１９の中央に形成された切り欠き部２７と、この切り欠き部２７を介してカード挿通溝８内を進退可能に配置された仕切り板２８とを備えている。
【００８４】
仕切り板２８の底部両端にはそれぞれバネ係止孔４８が形成されている。この両端のバネ係止孔４８に、弾性部材である２個の螺旋バネ４９（４９ａ、４９ｂ）の一方の端部４９−１がそれぞれ係止している。
【００８５】
一方、携帯型端末装置１の本体フレームには、カード挿通溝８の両端部の下方に、それぞれバネ支持部５１が固設されている。これらのバネ支持部５１の先端には、それぞれバネ係止孔５２が形成されている。この両端のバネ係止孔５２に、２個の螺旋バネ４９（４９ａ、４９ｂ）の他方の端部４９−２がそれぞれ係止している。
【００８６】
上記２個の螺旋バネ４９は引き付勢力を有しており、仕切り板２８の底部両端をそれぞれ外側に引き付勢力により引くことにより、２個の螺旋バネ４９は、仕切り板２８の底部と共に、水平方向にほぼ直線状態を維持している。
【００８７】
この水平方向にほぼ直線状態となることにより、仕切り板２８は、その先端部がカード挿通溝８への挿入状態となり、更に向かい合う２個の磁気読取ヘッド９の間への挿入状態となって、携帯型端末装置１本体に衝撃が加わった時における２個の磁気読取ヘッド９の衝突を防止している。
【００８８】
本例における上記構成の磁気読取ヘッド保護機構において、カード３５がカード挿通溝８に挿通されると、図６(b)に示した動作と同様に、カード３５の挿通方向前方の下端部３５ａが、図９(c)に示す仕切り板２８の円弧状の縁部２８ａに当接して、仕切り板２８が切り欠き部２７内を降下する。
【００８９】
そのまま更にカード３５が、図６(c)に示した動作と同様に、カード挿通溝８内をカード走行路１９に沿って挿通されると、仕切り板２８は、挿通されるカード３５の挿通方向前方の下端部３５ａに摺接しながら、図９(d)に示すように、螺旋バネ４９ａ及び４９ｂの水平方向への引き付勢力に抗して切り欠き部２７の下方に向けて押し込まれ、カード挿通溝８を挿通されるカード３５の挿通を許容する。
【００９０】
本例のように構成とすると、仕切り板２８がカード３５によって最も下方に押し込まれたときにカード挿通溝８の下方に形成される磁気読取ヘッド保護機構が占める空間の上下の間隔は、螺旋バネ４９ａ及び４９ｂをカード挿通溝８の下部面に沿って水平に配置する高さに、仕切り板２８が押し込まれた高さｆを加算した距離であり、実施例５の場合よりも、更に小さくすることができる。
【００９１】
以上、述べたように、本発明の実施例３乃至実施例６の磁気読取ヘッド保護機構によれば、カードリーダとしての携帯型端末装置１の使用時において携帯型端末装置１本体に衝撃が加わった時における２個の磁気読取ヘッド９の衝突を防止することが可能となる。
【００９２】
なお、本発明は、以上に述べた実施の形態に限定されるものではなく、本発明の要旨を逸脱しない範囲内で種々の構成または実施形態を採ることができる。例えば、上記各実施の形態によるネジ１５、４２、４５等は、固定手段であれば、接着やかしめ等でもよい。
【００９３】
また、板バネ３７、４４は板である必要はなく、別のバネや樹脂成形品やゴム等の弾性部材でもよく、螺旋バネ３１、４９は螺旋である必要はなく、板バネやゴム等の別の弾性部材でもよい。
【産業上の利用可能性】
【００９４】
本発明は、カード挿通溝内に複数の磁気読取ヘッドを向かい合わせに備えたカードリーダとその磁気読取ヘッド保護機構に利用することができる。
【符号の説明】
【００９５】
１  携帯型端末装置
２  本体筐体
３  カードリーダ部
４  表示部
５  カーソル部
６  データ入力部
７  キー入力操作部
８  カード挿通溝
８−１、８−２  側壁
８−３  下部面
９（９ａ、９ｂ）  磁気読取ヘッド
９−１  中央部
９−２  先端部
９−３  読取部
１２  板バネ
１３  接続部
１４  突起部
１５  ネジ
１６  外側規制部材
１７  内側規制部材
１８  規制範囲
１９  カード走行路
２０  保護蓋
２１  蓋本体
２２  溝端挿入部
２３  ヘッド仕切り板
２５  磁気読取ヘッド保護機構部
２６  本体フレーム
２７  切り欠き部
２８  仕切り板
２８ａ  円弧状の縁部
２９  突起部
３１  螺旋バネ
３２  螺旋バネ保持部
３３  突起部
３４  帯状の磁気部
３５  カード
３５ａ  挿通方向前方の下端部
３６  突起部
３７  板バネ
３７−１  両端部
３８  ネジ
３９  逃げ部の長孔
４１  支持柱
４２  ネジ
４３  固定部
４４（４４ａ、４４ｂ）  板バネ
４４−１  段差傾斜部
４４−２  一方の端部
４４−３  他方の端部
４５  ネジ
４６  逃げ部の長孔
４７  支持柱
４８  バネ係止孔
４９（４９ａ、４９ｂ）  螺旋バネ
４９−１  一方の端部
４９−２  他方の端部
５１  バネ支持部
５２  バネ係止孔
Ｄ  溝の深さ
Ｗ  溝の幅（長手）
【図３】
0005385326.tif 000002
【図１】
0005385326.tif 000003
【図２】
0005385326.tif 000004
【図４】
0005385326.tif 000005
【図５】
0005385326.tif 000006
【図６】
0005385326.tif 000007
【図７】
0005385326.tif 000008
【図８】
0005385326.tif 000009
【図９】
0005385326.tif 000010